(57)【要約】  空気調和機本体（１）が載置される筐体（２ａ）と、筐体（２ａ）内に、当該筐体（２ａ）の内壁と接触しないように間隔をもって配置されたドレンパン（８）と、筐体（２ａ）の内壁に内側に突出して設けられ、端部がドレンパンの縁部を覆うドレンガイド（３ａ、３ｂ）とを備えた空気調和機の架台（２）。ドレンパン（８）が回収できない露は、ドレンガイド（３ａ、３ｂ）が受けてドレンパン（８）に案内される。
2016110960.tif 000002
【特許請求の範囲】
【請求項１】
空気調和機本体が載置される筐体と、
前記筐体内に、当該筐体の内壁と間隔をもって配置されたドレンパンと、
前記筐体の内壁に内側に突出して設けられ、端部が前記ドレンパンの縁部を覆うドレンガイドと、
を備えた、空気調和機の架台。
【請求項２】
前記筐体は、
前記筐体の骨組みを構成する複数のフレーム部材と
前記複数のフレーム部材の外側で、前記筐体の正面側に相当する位置に取り付けられた前板と、
前記複数のフレーム部材の外側で、前記筐体の側面側に相当する位置に取り付けられた一対の側板と、
を備えた、請求項１に記載の空気調和機の架台。
【請求項３】
前記ドレンガイドは、
前記一対の側板の内壁に内側に突出して設けられた一対のガイド板と、
前記前板の内壁に内側に突出して設けられたガイド板と、
を備え、これらのガイド板の端部が、前記ドレンパンの縁部を覆う、
請求項２に記載の空気調和機の架台。
【請求項４】
前記ドレンパンは、前記複数のフレーム部材の内側に取り付けられる、請求項２又は３に記載の空気調和機の架台。
【請求項５】
前記ドレンパンは、前記空気調和機本体の底板との間に隙間が形成されるように、前記筐体内に配置される、請求項１〜４の何れか一項に記載の空気調和機の架台。
【請求項６】
前記筐体の前板及び一対の側板の各々は、前記複数のフレーム部材に脱着可能に取付けられる、請求項２〜４又は請求項２に従属する請求項５の何れか一項に記載の空気調和機の架台。
【請求項７】
前記ドレンガイドは、前記ドレンパン側に傾斜している、請求項１〜６の何れか一項に記載の空気調和機の架台。
【請求項８】
前記ドレンパンは、ドレンホース接続用の回転可能なソケットを備えた、請求項１〜７の何れか一項に記載の空気調和機の架台。
【請求項９】
前記側板は、ドレン水を排水溝に導くドレンホースを通すためのノックアウト穴を複数個有する、請求項２〜４、及び請求項２に従属する請求項５〜８の何れか一項に記載の空気調和機の架台。
【請求項１０】
前記架台は、空気調和機本体に対して、前後の制約なく取付けることが可能である、
請求項１〜９の何れか一項に記載の空気調和機の架台。
【発明の詳細な説明】
【技術分野】
【０００１】
本発明は、空気調和機の架台に関し、特に、空気調和機本体内で発生したドレン水を回収するドレンパンを備えた架台の構造に関するものである。
【背景技術】
【０００２】
冷凍サイクルを備えた空気調和機においては、冷たい冷媒が冷媒配管に流れると、冷媒と外気との温度差によって露が発生する。露の発生によって、カビの発生、腐食、及び露垂れが発生する。そこで、このようなカビの発生、腐食、及び露垂れを防止するために、発生した露を機外に漏らすことなく回収して排水溝へと導くことができ、更に、水の拭き取り等の作業が容易なドレンパンを設けた空気調和機の架台が提案されている（例えば、特許文献１参照）。
【先行技術文献】
【特許文献】
【０００３】
【特許文献１】特開２０１０−１１７１０４号公報
【発明の概要】
【発明が解決しようとする課題】
【０００４】
特許文献１で提案されている架台は、１つのドレンパンで空気調和機内の全ての露を回収できるような構造となっている。しかしながら、特許文献１のように、１つのドレンパンで全ての露を回収できるような構造であれば問題はないが、ドレンパンの設置構造に制約があって、１つのドレンパンで全ての露を回収できない場合には、空気調和機内に残った露によってカビの発生、腐食、機外への露垂れ等の恐れがある。つまり、露の回収、排水の不具合を生じる恐れがある。【０００５】
また、特許文献１においては、１つのドレンパンで空気調和機内の全ての露を回収できるような構造となっているが、そのため、ドレンパンが架台の側板（内面側）に接した構造になっている。このようにドレンパンが架台の側板に接していると、ドレンパンに回収された冷たい露が側板を冷却する。側板が冷却されると、側板と外気（側板の周囲）との温度差によって側板表面の意匠面に露が発生し、その露が成長して、露垂れが発生する恐れがある。【０００６】
本発明は、上記のような課題を解決するためになされたものであり、空気調和機本体内の全ての露を回収し、且つ、側板表面に露が発生しないようにした空気調和装置の架台を提供することを目的とする。
【課題を解決するための手段】
【０００７】
本発明に係る空気調和機の架台は、空気調和機本体が載置される筐体と、前記筐体内に、当該筐体の内壁と間隔をもって配置されたドレンパンと、筐体の内壁に内側に突出して設けられ、端部が前記ドレンパンの縁部を覆うドレンガイドと、を備えたものである。
【発明の効果】
【０００８】
本発明に係る空気調和機の架台によれば、前記筐体内に、当該筐体の内壁と間隔をもって配置されたドレンパンと、筐体の内壁に内側に突出して設けられ、端部が前記ドレンパンの縁部を覆うドレンガイドとを備えている。ドレンガイドが、ドレンパンでは回収できない箇所の露を受けてドレンパンに案内して流すようにしたので、全ての露を機外へ漏らすことなく外部の排水溝へ排出することができる。また、ドレンパンは、筐体の内壁と間隔をもって配置されており、内壁と接していないので、ドレンパンに冷たい露が回収されたとしても、筐体の側板を冷却することはない。このため、従来のように、側板と外気（側板の周囲）との温度差によって側板表面の意匠面に露が発生するような状態が、避けられる。
【図面の簡単な説明】
【０００９】
【図１】本発明の実施の形態１に係る空気調和機の正面図である。
【図２】図１の架台の斜視図である。
【図３】図２の架台の筐体から左右の側板及び前板を取り除いた状態の図である。
【図４】図１の架台の筐体から左右の側板及び前板を取り除いた状態の図である。
【図５】図３の架台の上面図である。
【図６】図２の架台の上面図である。
【図７】図２のドレンガイドを横から見た図である。
【図８】図２のドレンパンの下面図である。
【発明を実施するための形態】
【００１０】
以下、図面に基づいて本発明の実施の形態を説明する。なお、図１を含め、以下の図面に同一符号を付したものは、同一又は相当するものを示している。図面に記載された各構成部材の大きさの関係は、実際のものとは異なる場合がある。また、明細書及び図面に記載されている実施の形態は、あくまでも例示であって、本発明はこれらの記載に限定されるものではない。
【００１１】
実施の形態１．
図１は、本発明の実施の形態１に係る空気調和機の正面図である。図１に示されるように、空気調和機は、空気調和機本体１と架台２とを備え、空気調和機本体１は、架台２の上に固定されている。空気調和機本体１は、例えば室内機を構成しており、冷凍サイクルの一部を構成する室内熱交換器、送風機等（何れも図示せず）が組み込まれている。空気調和機本体１の外郭を構成する筐体１ａには、背部に吸い込み口が設けられ、上部（天板側）には吐出口が設けられている（何れも図示せず）。空気調和機本体１は、送風機の駆動によって、筐体１ａに設けられた吸入口から外気を取り込んで、室内熱交換器によって熱交換された空気を、筐体１ａに設けられた吐出口から排出する。このように室内熱交換器によって熱交換された空気、例えば冷却された空気は、吐出口から排出されるが、筐体１ａ内の室内熱交換器及び冷媒配管は、冷却されているのでその周囲の空気が冷却されて露が発生する。その露は、空気調和機本体１の下に配置されている架台２に滴下されることになるが、本実施の形態においては、次に説明する架台２において処理されることになる。
【００１２】
図２は、図１の架台２の斜視図である。架台２は、その外郭を構成する筐体２ａを備えている。筐体２ａは、全体として、上下方向において開放された構造になっている。筐体２ａは、左右の側板４と、前板（前側の側板）５とを備えており、上下方向においては開放されている。左右の側板４は、上部に内側に突出するように取り付けられた板状のドレンガイド３ａを備えている。前板５も同様に、上部に内側に突出するように取り付けられた板状のドレンガイド３ｂを備えている。そして、これらのドレンガイド３ａ及びドレンガイド３ｂの下方にドレンパン８が配置されている。つまり、ドレンガイド３ａ及びドレンガイド３ｂの端部が、ドレンパン８の縁部（周辺）を覆うような位置関係となっている。左右の側板４の上部左右にはノックアウト穴１１が２個（複数個）設けられている。ノックアウト穴とは、取付時に現場で簡単に穴が開けられるように器具に加工された穴である。１個のノックアウト穴１１には排水ホース１２が貫通して配置されている。
【００１３】
図３は、図２の架台２の筐体２ａから左右の側板４及び前板５を取り除いた状態の図である。架台２の筐体２ａは、平面視において直方形の４つ角（隅）に配置された断面Ｕ字型の４本の支柱６を備えている。なお、便宜上、断面Ｕ字型と称しているが、この断面Ｕ字型とは、４つの辺からなる四角形の内の１辺を取り除いた形状をいうものとし、角部は直角である。筐体２ａは、前後の支柱６をそれぞれ繋ぐ断面Ｕ字型の横枠材７ａ、７ｂと、左右の支柱６をそれぞれ繋ぐ断面Ｕ字型の横枠材７ｃとを更に備え、これらの横枠材７ａ、７ｂ、７ｃは、支柱６にビスなどで固定される。ドレンパン８は、四角い箱状の形状となっており、横枠材７ｂにビスなどで固定されている。つまり、ドレンパン８は、図２の左右の側板４及び前板５に直接取り付けられず、横枠材７ｂを介して支柱６に取り付けられる。ドレンパン８には、ドレンパン８を貫通して回転可能なドレンソケット１０が設けられており、ドレンソケット１０には排水ホース１２が接続されている。ドレンパン８の底部は、前方（ドレンソケット１０側）に対して下方に傾斜しており、溜まった水がドレンソケット１０側に流れるように構成されている。また、筐体２ａから左右の側板４及び前板５は、何れも単独で支柱６に着脱自在となっている。
【００１４】
なお、図１及び図２の左右の側板４、前板５、支柱６、横枠材７ａ〜７ｃは、本発明の筐体２ａ（図１参照）を構成しており、支柱６、横枠材７ａ〜７ｃは本発明のフレーム部材を構成している。なお、支柱６、横枠材７ａ〜７ｃの構成は、図３に記載された形状に限定されるものではなく、フレーム部材として機能するものであれば、他の構成でもよい（例えば、断面Ｌ字型、角柱等）。
【００１５】
図４は、図１の架台２の筐体２ａから左右の側板４及び前板５を取り除いた状態の図である。空気調和機本体１は、筐体２ａの４つの支柱６の上面に載置される。そして、空気調和機本体１と架台２（筐体２ａ）とはビス等で固定される。また、空気調和機本体１の底板９とドレンパン８との隙間を２５ｍｍ以上設けることで、組立時に空気調和機本体１の底板９とドレンパン８の隙間に指を挟む恐れがなく、安全に取付けを行うことができる。また、冷房運転の際に、空気調和機本体１内を流れる冷媒と外気との温度差によって露が空気調和機本体１内で発生する。その露は、空気調和機本体１の底板９に溜まるが、空気調和機本体１の底板９に設けられた穴から、ドレンパン８に滴下し、ドレンソケット１０及び排水ホース１２を介して外部に排出される。
【００１６】
図５は、図３の架台２の上面図である。つまり、図５においては、筐体２ａから左右の側板４及び前板５を取り除き、ドレンガイド３ａ、３ｂの無い状態が示されている。図５に示されるように、ドレンパン８は、４本の支柱６の間の内側に配置されている。このため、空気調和機本体１の底板９の内側とドレンパン８の外側との間に露を回収できない、ＸとＹのスペースが発生することになる。つまり、図５の符号ａで示される領域に露が滴下されると、ドレンパン８では露を回収できなくなる。この点を解消したのがドレンガイド３ａ、３ｂの設置である。
【００１７】
図６は、図２の架台２の上面図であり、図７は、図２のドレンガイド３ａ、３ｂを横から見た図である。図６においては、支柱６に左右の側板４及び前板５が取り付けられた状態が示されている。左右の側板４及び前板５にはドレンガイド３ａ、３ｂが取り付けられており、ドレンガイド３ａ、３ｂは、符号ａで示された領域を埋めるように、且つ、端部（ドレンガイド３ａ、３ｂの端部）がドレンパン８の縁を覆うように配置されている。このようにドレンガイド３ａ、３ｂが配置されていることによって、ドレンガイド３ａ、３ｂは、符号ａで示された領域に滴下される露が、ドレンガイド３ａ、３ｂに滴下されることになる。そして、ドレンガイド３ａ、３ｂは、図７に示されるように、傾斜が設けられているので（例えば５度以上）、ドレンガイド３ａ、３ｂに滴下した露は、ドレンパン８に導かれる。つまり、本実施の形態においては、上記の符号ａで示される領域を含めて全ての領域の露を回収することができるので、カビの発生、腐食、機外への露垂れの防止が可能になっている。また、ドレンパン８と、左右の側板４、前板５との距離をとることによって、左右の側板４、前板５は、冷えたドレンパン８の熱的影響を受けることが無い。
【００１８】
図８は、図２のドレンパン８の下面図である。ドレンパン８には、幅方向中心の前方側に回転可能なドレンソケット１０が設けられている。左右の側板４の上部左右には、上記のように、ノックアウト穴１１（図２参照）が設けられている。架台２は、左右の側板４及び前板５がそれぞれ単独で着脱自在に構成されているので（図２、図３参照）、空気調和機本体１への取付に関し、前後方向の制約なく取付けることが可能である。つまり、架台２の正面側を背面側にしてもよいし、背面側を正面側にしてもよい。現地の必要に応じて設置されればよい。また、左右の側板４の上部左右にノックアウト穴１１（図２参照）が設けられているため、現地の状況に合わせて何れかのノックアウト穴１１を利用して、ドレンソケット１０に接続した排水ホース１２を取回し、排水することが可能となる。
【００１９】
なお、本実施の形態において、架台２の前方側の横枠材７ｃとドレンパン８との隙間が、８０ｍｍ以上になるように構成されている（図３参照）。この隙間は、メンテナンススペースを考慮して、人の手が入るような間隔になっている。また、支柱６の高さは例えば２７０ｍｍとしており、排水ホース１２の１／１００の勾配にて、１０ｍ引き回すことを可能とし、排水を容易にしている。
【００２０】
以上のように本実施の形態によれば、架台２の筐体２ａ内に、筐体２ａの内壁（一対の側板４及び前板５の内壁）と間隔をもって配置されたドレンパン８と、筐体２ａの内側壁に内側に突出して設けられたドレンガイド３ａ、３ｂを備えている。ドレンガイド３ａ、３ｂは、ドレンパン８では回収できない領域（図５、図６のａ参照）の露を受けてドレンパン８に案内して流す。このため、全ての露を機外へ漏らすことなく外部の排水溝へ排出することができる。また、ドレンパン８は、筐体２ａの内壁（左右の側板４及び前板５の内壁）と接していないので、ドレンパン８に冷たい露が回収されたとしても、筐体２ａの側壁を冷却することはない。このため、従来のように、側板と外気（側板の周囲）との温度差によって側板表面の意匠面に露が発生するような状態が避けられる。
【符号の説明】
【００２１】
１  空気調和機本体、１ａ  筐体、２  架台、２ａ  筐体、３ａ、３ｂ  ドレンガイド、４  側板、５  前板、６  支柱、７ａ〜７ｃ  横枠材、８  ドレンパン、９  空気調和機本体１の底板、１０  ドレンソケット、１１  ノックアウト穴、１２  排水ホース。
【図１】
2016110960.tif 000003
【図２】
2016110960.tif 000004
【図３】
2016110960.tif 000005
【図４】
2016110960.tif 000006
【図５】
2016110960.tif 000007
【図６】
2016110960.tif 000008
【図７】
2016110960.tif 000009
【図８】
2016110960.tif 000010
【手続補正書】
【提出日】平成29年2月14日(2017.2.14)
【手続補正１】
【補正対象書類名】明細書
【補正対象項目名】０００７
【補正方法】変更
【補正の内容】
【０００７】
本発明に係る空気調和機の架台は、空気調和機本体が載置される筐体と、前記筐体内に、当該筐体の内壁と間隔をもって配置されたドレンパンと、前記筐体の内壁に内側に突出して設けられ、端部が前記ドレンパンの縁部を覆うドレンガイドと、を備え、前記筐体は、前記筐体の骨組みを構成する、前記筐体の平面視において４つ角に配置された４本の支柱と、前記筐体の骨組みを構成する、前記４本の支柱をそれぞれ繋ぐ横枠材と、前記４本の支柱の外側で、前記筐体の正面側に相当する位置に取り付けられた前板と、前記４本の支柱の外側で、前記筐体の側面側に相当する位置に取り付けられた一対の側板と、を備え、前記ドレンパンは、前記横枠材を介して前記４本の支柱の内側に取り付けられるものである。
【手続補正２】
【補正対象書類名】特許請求の範囲
【補正対象項目名】全文
【補正方法】変更
【補正の内容】
【特許請求の範囲】
【請求項１】
空気調和機本体が載置される筐体と、
前記筐体内に、当該筐体の内壁と間隔をもって配置されたドレンパンと、
前記筐体の内壁に内側に突出して設けられ、端部が前記ドレンパンの縁部を覆うドレンガイドと、
を備え、
前記筐体は、
前記筐体の骨組みを構成する、前記筐体の平面視において４つ角に配置された４本の支柱と、
前記筐体の骨組みを構成する、前記４本の支柱をそれぞれ繋ぐ横枠材と、
前記４本の支柱の外側で、前記筐体の正面側に相当する位置に取り付けられた前板と、
前記４本の支柱の外側で、前記筐体の側面側に相当する位置に取り付けられた一対の側板と、
を備え、
前記ドレンパンは、前記横枠材を介して前記４本の支柱の内側に取り付けられる、空気調和機の架台。
【請求項２】
前記ドレンガイドは、
前記一対の側板の内壁に内側に突出して設けられた一対のガイド板と、
前記前板の内壁に内側に突出して設けられたガイド板と、
を備え、これらのガイド板の端部が、前記ドレンパンの縁部を覆う、
請求項１に記載の空気調和機の架台。
【請求項３】
前記ドレンパンは、前記空気調和機本体の底板との間に隙間が形成されるように、前記筐体内に配置される、請求項１または２に記載の空気調和機の架台。
【請求項４】
前記筐体の前板及び一対の側板の各々は、前記４本の支柱に脱着可能に取付けられる、請求項１〜３の何れか一項に記載の空気調和機の架台。
【請求項５】
前記ドレンガイドは、前記ドレンパン側に傾斜している、請求項１〜４の何れか一項に記載の空気調和機の架台。
【請求項６】
前記ドレンパンは、ドレンホース接続用の回転可能なソケットを備えた、請求項１〜５の何れか一項に記載の空気調和機の架台。
【請求項７】
前記側板は、ドレン水を排水溝に導くドレンホースを通すためのノックアウト穴を複数個有する、請求項１〜６の何れか一項に記載の空気調和機の架台。
【請求項８】
前記架台は、空気調和機本体に対して、前後の制約なく取付けることが可能である、
請求項１〜７の何れか一項に記載の空気調和機の架台。
【国際調査報告】
2016110960.tif 000011
2016110960.tif 000012
2016110960.tif 000013
2016110960.tif 000014